(57)【要約】【課題】撮影者を撮像するインカメラを有する撮像装置において、撮影者に関してセキュリティの向上およびプライバシー保護を強化する。【解決手段】撮像装置は、被写体を撮像して第１の画像データを得るアウトカメラ１０１と撮影者を撮像して第２の画像データを得るインカメラ１０３とを有している。ＣＰＵ１０９は第１の画像データに応じた第１の画像と第２の画像データに応じた第２の画像を表示部１１３に表示し、インカメラによる撮像を行って第２の画像を表示部に表示しない状態である場合に、第２の画像に関して予め定められた条件が満たされると、インカメラが動作中であることを警告する。【選択図】図１
2015133624.tif 000002
【特許請求の範囲】
【請求項１】
被写体を撮像するための第１の撮像手段と、
撮影者を撮像するための第２の撮像手段と、
前記第１の撮像手段により撮像して得られた第１の画像と前記第２の撮像手段により撮像して得られた第２の画像を表示部に表示する表示制御手段と、
前記第２の画像が前記表示部に表示されない状態である場合に、前記第２の撮像手段により画像が撮像されることをユーザに通知する通知手段と、
を有することを特徴とする撮像装置。
【請求項２】
前記通知手段は、前記第２の撮像手段による撮像動作中であることを通知することを特徴とする請求項１に記載の撮像装置。
【請求項３】
前記通知手段は、撮影指示に応じて前記第２の撮像手段により撮像して得られた画像が記録されることを通知することを特徴とする請求項１に記載の撮像装置。
【請求項４】
前記通知手段は、前記表示部に前記第２の撮像手段により画像が撮像されることを示す情報を表示することにより通知することを特徴とする請求項１ないし３のいずれか１項に記載の撮像装置。
【請求項５】
前記表示部に前記第２の画像が表示される状態である場合には、前記通知手段は、前記情報を表示しないことを特徴とする請求項４に記載の撮像装置。
【請求項６】
前記通知手段は、前記第２の画像が前記表示部に表示されない状態である場合には、前記第２の画像が表示される状態である場合とことなる表示形態で、前記第２の撮像手段により画像が撮像されることを示す情報を表示することを特徴とする請求項４に記載の撮像装置。
【請求項７】
前記通知手段は、前記第２の画像が前記表示部に表示されない状態であり、かつ、所定の条件を満たしている場合に、前記第２の撮像手段により画像が撮像されることをユーザに通知することを特徴とする請求項１ないし６のいずれか１項に記載の撮像装置。
【請求項８】
前記第２の撮像手段のより撮像して得られた画像において撮影者を検出するための検出手段を備え、
前記通知手段は、前記第２の画像が前記表示部に表示されない状態であり、かつ、前記検出手段で検出した撮影者が所定の条件を満たしている場合に、前記第２の撮像手段により画像が撮像されることをユーザに通知することを特徴とする請求項７に記載の撮像装置。
【請求項９】
人物の情報を記憶することにより人物を登録する記憶手段を有し、
前記通知手段は、前記検出手段で検出した撮影者が前記記憶手段に登録されている人物である場合に、前記第２の撮像手段により画像が撮像されることをユーザに通知することを特徴とする請求項８に記載の撮像装置。
【請求項１０】
前記第２の画像を前記表示部に表示するか否かを選択する選択手段を有し、
前記表示制御手段は、前記選択手段により前記第２の画像を表示しないことが選択された場合には、前記第２の画像を前記表示部に表示しないように制御することを特徴とする請求項１ないし９のいずれか１項に記載の撮像装置。
【請求項１１】
前記第２の撮像手段により画像が撮像されることをユーザに通知した場合に、前記第２の撮像手段により撮像された画像を記録するか否かを選択するための選択画面を前記表示部に表示する選択画面表示手段を有することを特徴とする請求項１に記載の撮像装置。
【請求項１２】
被写体を撮像するための第１の撮像手段と、撮影者を撮像するための第２の撮像手段とを備える撮像装置の制御方法であって、
前記第１の撮像手段により撮像して得られた第１の画像と前記第２の撮像手段により撮像して得られた第２の画像を表示部に表示する表示制御ステップと、
前記第２の画像が前記表示部に表示されない状態である場合に、前記第２の撮像手段により画像が撮像されることをユーザに通知する通知ステップと、
を有することを特徴とする制御方法。
【請求項１３】
被写体を撮像するための第１の撮像手段と、撮影者を撮像するための第２の撮像手段とを備える撮像装置で用いられる制御プログラムであって、
前記撮像装置が備えるコンピュータに、
前記第１の撮像手段により撮像して得られた第１の画像と前記第２の撮像手段により撮像して得られた第２の画像を表示部に表示する表示制御ステップと、
前記第２の画像が前記表示部に表示されない状態である場合に、前記第２の撮像手段により画像が撮像されることをユーザに通知する通知ステップと、
を実行させることを特徴とする制御プログラム。
【請求項１４】
請求項１３に記載の制御プログラムが記録されたコンピュータに読み取り可能な記録媒体。
【発明の詳細な説明】
【技術分野】
【０００１】
本発明は、複数の撮像部を備える撮像装置、その制御方法、および制御プログラム、並びに記録媒体に関し、特に、撮像部を動作させた際のキュリティ向上およびプライバシー保護のための手法に関する。
【背景技術】
【０００２】
一般に、複数の撮像部を備える撮像装置では、インカメラと呼ばれる撮影者を撮影するための撮像部が備えられており、さらに、インカメラに対して風景又は人物などの被写体を撮影するための撮像部であるアウトカメラが備えられている。
【０００３】
ところで、撮像装置においては、人物などの被写体（つまり、被撮影者）に対するセキュリティおよびプライバシー保護が求められており、例えば、盗撮防止のための撮影禁止手段を備える撮像装置が知られている（特許文献１参照）。
【０００４】
特許文献１に記載の撮像装置では、インカメラの画角内に撮影者が映っていない場合には、撮影者が不自然な向きに撮像装置を傾けている判断して、アウトカメラによる撮影を禁止するようにしている。
【先行技術文献】
【特許文献】
【０００５】
【特許文献１】特開２００６−１８６６８５号公報
【発明の概要】
【発明が解決しようとする課題】
【０００６】
しかしながら、上述の特許文献１に記載の手法では、セキュリティおよびプライバシー保護の観点において不十分なケースが存在する。例えば、インカメラを動作させた状態で撮像装置を他人に渡して、当該他人（ここでは撮影者）にアウトカメラで撮影を依頼する場合、インカメラによって他人が撮影されることになってしまう。つまり、他人の意に反してインカメラによって撮影が行われるとことになってしまう。
【０００７】
従って、本発明の目的は、撮影者に関してセキュリティの向上およびプライバシー保護を十分に行うことができる撮像装置、その制御方法、および制御プログラム、並びに記録媒体を提供することにある。
【課題を解決するための手段】
【０００８】
上記の目的を達成するため、本発明による撮像装置は、被写体を撮像するための第１の撮像手段と、撮影者を撮像するための第２の撮像手段と、前記第１の撮像手段により撮像して得られた第１の画像と前記第２の撮像手段により撮像して得られた第２の画像を表示部に表示する表示制御手段と、前記第２の画像が前記表示部に表示されない状態である場合に、前記第２の撮像手段により画像が撮像されることをユーザに通知する通知手段と、を有することを特徴とする。
【０００９】
本発明による制御方法は、被写体を撮像するための第１の撮像手段と、撮影者を撮像するための第２の撮像手段とを備える撮像装置の制御方法であって、前記第１の撮像手段により撮像して得られた第１の画像と前記第２の撮像手段により撮像して得られた第２の画像を表示部に表示する表示制御ステップと、前記第２の画像が前記表示部に表示されない状態である場合に、前記第２の撮像手段により画像が撮像されることをユーザに通知する通知ステップと、を有することを特徴とする。
【００１０】
本発明による制御プログラムは、被写体を撮像するための第１の撮像手段と、撮影者を撮像するための第２の撮像手段とを備える撮像装置で用いられる制御プログラムであって、前記撮像装置が備えるコンピュータに、前記第１の撮像手段により撮像して得られた第１の画像と前記第２の撮像手段により撮像して得られた第２の画像を表示部に表示する表示制御ステップと、前記第２の画像が前記表示部に表示されない状態である場合に、前記第２の撮像手段により画像が撮像されることをユーザに通知する通知ステップと、を実行させることを特徴とする。
【００１１】
本発明による記録媒体は、上記の制御プログラムが記録されたコンピュータに読み取り可能な記録媒体である。
【発明の効果】
【００１２】
本発明によれば、第２の撮像手段による撮像が行われて第２の画像が表示部に表示されない状態である場合であっても、第２の撮像手段が動作中であることを警告するようにしたので、撮影者は自分自身の撮像が行われていることを認識することが可能となり、撮影者の許可なく撮像が行われることを回避してセキュリティおよびプライバシーの保護を向上させることができる。
【図面の簡単な説明】
【００１３】
【図１】本発明の実施の形態による撮像装置の一例についてその構成を示すブロック図である。
【図２】図１に示すカメラの外観を説明するための図であり、（ａ）はカメラを正面側から見た図、（ｂ）はカメラを側面側から見た図、図２（ｃ）はカメラを背面側から見た図である。
【図３】図１に示すカメラにおける警告表示動作を説明するためのフローチャートである。
【図４】図３に示す処理における警告表示を説明するための図であり、（ａ）は被写体画像のみが表示された画面を示す図、（ｂ）は被写体画像が表示された画面においてインカメラ動作中を警告する警告表示を示す図、（ｃ）は被写体画像が表示された画面においてインカメラ記録中を警告する警告表示を示す図、（ｄ）は被写体画像と撮影者画像とが表示された画面を示す図である。
【発明を実施するための形態】
【００１４】
以下、本発明の実施の形態による撮像装置の一例について図面を参照して説明する。
【００１５】
図１は、本発明の実施の形態による撮像装置の一例についてその構成を示すブロック図である。
【００１６】
図示の撮像装置は、例えば、デジタルカメラ（以下単にカメラと呼ぶ）、第１の撮像部１０１および第２の撮像部１０３を有している。そして、第１の撮像部１０１によって人物などの被写体（つまり、被撮影者）が撮影され、第２の撮像部１０３によって撮影者自身が撮影される。
【００１７】
第１の撮像部１０１は被写体像に応じたアナログ信号を生成し、当該アナログ信号をＡ／Ｄ変換して被写体画像信号として出力する。一方、第２の撮像部１０３は撮影者像に応じたアナログ信号を生成し、当該アナログ信号をＡ／Ｄ変換して撮影者画像信号として出力する。
【００１８】
上記の被写体画像信号および撮影者画像信号は画像信号処理回路１０５に与えられる。画像信号処理回路１０５は被写体画像信号および撮影者画像信号に対して信号処理および現像処理を行って、被写体画像データ（第１の画像データともいう）および撮影者画像データ（第２の画像データともいう）を生成する。この画像処理回路１０５は２入力の画像信号を同時に処理することができる。
【００１９】
顔検出回路１０７は被写体画像データおよび撮影者画像データを受けて、被写体画像データに存在する被写体の顔領域を検出して被写体顔領域を得る。同様にして、顔検出回路１０７は撮影者画像データに存在する被写体の顔領域を検出して撮影者顔領域（つまり、領域情報）を得る。
【００２０】
制御回路（ＣＰＵ）１０９はカメラ全体の制御を司る。メモリ１１１にはＣＰＵ１０９によって顔検出回路１０７で検出された被写体顔領域を示す被写体顔情報および撮影者顔領域を示す撮影者顔情報が記録される。さらに、メモリ１１１には、ユーザによって予め各種の顔情報を記録することにより人物が登録されるとともに、カメラの各種設定情報が記憶される。
【００２１】
ＣＰＵ１０９は、画像処理回路１０５から被写体画像データおよび撮影者画像データを受けて、これら被写体画像データおよび撮影者画像データを外部記録媒体１１５に記録する。さらに、ＣＰＵ１０９は被写体画像データおよび撮影者画像データに応じてそれぞれ被写体画像（第１の画像ともいう）および撮影者画像（第２の画像ともいう）を表示部１１３に表示する。また、ＣＰＵ１０９は、画像再生の際、例えば、外部記録媒体１１５に記録された被写体画像データ又は撮影者画像データを読み出して、画像として表示部１１３に表示する。
【００２２】
ＣＰＵ１０９には、操作部１１７が接続されており、ユーザ（又は撮影者）は操作部１１７を用いてＣＰＵ１０９に各種指令（撮影指示を含む）を送るとともに、撮影に係る設定（第２の撮像部１０３を動作させるか否かの設定を含む）を行う。
【００２３】
なお、後述するように、第２の撮像部１０３で得られた画像（つまり、撮影者画像データ）を表示部１１３に表示するか否かを選択するための操作ボタン（図示せず）が備えられている。
【００２４】
さらに、ＣＰＵ１０９は、第２の撮像部１０３が撮像動作中であると、例えば、表示部１１３に、第２の撮像部１０３が動作中であることを示す文字又はマークを表示する。ここでは、ＣＰＵ１０９は、例えば、タリーランプの表示などではなく、第２の撮像部１０３が動作中であることを示す文字又はマークを表示部１１３に表示して、第２の撮像部１０３が動作中であることを撮影者に確実に通知する。つまり、ＣＰＵ１０９は撮影者画像を表示部１１３に表示する場合の表示形態と異なる表示形態で、インカメラ（第２の撮像部）１０３が動作中であることを表示部１１３に表示して警告を行う。
【００２５】
図２は、図１に示すカメラの外観を説明するための図である。そして、図２（ａ）はカメラを正面側から見た図であり、図２（ｂ）はカメラを側面側から見た図である。そして、図２（ｃ）はカメラを背面側から見た図である。
【００２６】
図２において、カメラ１００の筐体１００ａには、その正面側の中央部に第１の撮像部１０１が配置され、背面側には表示部１１３が配置されている。そして、カメラ筐体１１０ａの背面側において、表示部１１３の上側には第２の第２の撮像部１０３が配置されている。なお、図２においては、操作部１１７は省略されている。
【００２７】
図示の例では、後述するように、ＣＰＵ１０９はカメラ１００の背面側に撮影者が位置し、かつ第２の撮像部１０３が動作中であると、表示部１１３に第２の撮像部１０３が動作中であることを示す警告（マークなど）を表示する。
【００２８】
以下の説明では、便宜上、第１の撮像部１０１をアウトカメラ、第２の撮像部１０３をインカメラと呼ぶことにする。
【００２９】
図３は、図１に示すカメラにおける警告表示動作を説明するためのフローチャートである。なお、図示のフローチャートに係る処理は、ＣＰＵ１０９の制御下で行われる。
【００３０】
撮影者が操作部１１７に備えられた電源ボタンをオンすると、ＣＰＵ１０９はアウトカメラ１０１を起動する（ステップＳ３０１）。これによって、撮影者はアウトカメラ１０１によって人物などの被写体の撮影を行うことができる。
【００３１】
ＣＰＵ１０９はインカメラ１０３を動作させる第２の撮像部動作モードが操作部１１７で選択されているか否かを判定する（ステップＳ３０２）。第２の撮像部動作モードが選択されていないと（ステップＳ３０２において、ＮＯ）、ＣＰＵ１０９は警告表示処理を終了する。
【００３２】
一方、第２の撮像部動作モードが選択されていると（ステップＳ３０２において、ＹＥＳ）、ＣＰＵ１０９はインカメラ１０３を起動する（ステップＳ３０３）。インカメラ１０３を起動した後、ＣＰＵ１０９の制御下で、顔検出回路１０７は、画像処理回路１０５から第２の画像データを受けて、当該第２の画像データにおいて顔領域を検出する。つまり、顔検出回路１０７は第２の撮像部１０３が起動した際の顔領域を検出することになる（ステップＳ３０４）。そして、ＣＰＵ１０９は画像処理回路１０５を介して顔検出回路１０７から検出された顔領域を撮影者顔情報として受けて、当該撮影者顔情報をメモリ１１１に記録する。
【００３３】
続いて、ＣＰＵ１０９は、インカメラ１０３で得られた画像（つまり、第２の画像データ）を表示部１１３に表示するモード（第２の撮像部表示モード）が選択されているか否かを判定する（ステップＳ２０５）。
【００３４】
なお、第２の撮像部表示モードは操作部１１７で設定されるか又は予めメモリ１１１に設定されている。
【００３５】
図４は、図３に示す処理における警告表示を説明するための図である。そして、図４（ａ）は被写体画像のみが表示された画面を示す図であり、図４（ｂ）は被写体画像が表示された画面においてインカメラ動作中を警告する警告表示を示す図である。また、図４（ｃ）は被写体画像が表示された画面においてインカメラ記録中を警告する警告表示を示す図であり、図４（ｄ）は被写体画像と撮影者画像とが表示された画面を示す図である。
【００３６】
第２の撮像部表示モードが選択されていないと（ステップＳ３０５において、ＮＯ）、ＣＰＵ１０９は、図４（ａ）に示す被写体画像４０１を表示部１１３に表示する。そして、ＣＰＵ１０９は操作部１１７によって第２の撮像部動作モードを終了する操作が行われたか否かを判定する（ステップＳ３０６）。第２の撮像部動作モードを終了する操作が行われると（ステップＳ３０６において、ＹＥＳ）、ＣＰＵ１０９は警告表示処理を終了する。
【００３７】
第２の撮像部動作モードを終了する操作が行われないと（ステップＳ３０６において、ＮＯ）、ＣＰＵ１０９の制御下で、顔検出回路１０７はインカメラ１０３で得られた画像（つまり、第２の画像テータ）において顔領域を再度検出する。そして、ＣＰＵ１０９は第２の画像データにおいて顔領域が検出されたか否かを判定する（ステップＳ３０７）。
【００３８】
第２の画像データにおいて顔領域が検出されないと（ステップＳ３０７において、ＮＯ）、ＣＰＵ１０９はステップＳ３０６の処理に戻る。一方、第２の画像データにおいて顔領域が検出されると（ステップＳ３０７において、ＹＥＳ）、ＣＰＵ１０９は当該撮影者顔情報がメモリ１１１に登録されているか否かを判定することにより、撮影者が予めメモリ１１１に登録されている人物であるかを判定する（ステップＳ３０８）。
【００３９】
撮影者顔情報がメモリ１１１に予め登録されていると（ステップＳ３０８において、ＹＥＳ）、ＣＰＵ１０９は、撮影者がインカメラ１０３による撮影を許可している人物と看做して、ステップＳ３０６の処理に戻る。
【００４０】
一方、撮影者顔情報がメモリ１１１に予め登録されてないと（ステップＳ３０８において、ＮＯ）、ＣＰＵ１０９は、ステップＳ３０７で得られた撮影者顔情報とステップＳ３０４で得られた撮影者顔情報とを比較して、同一の顔であるか否かを判定する（ステップＳ３０９）。
【００４１】
同一の顔であると（ステップＳ３０９において、ＹＥＳ）、ＣＰＵ１０９は撮影者がインカメラ１０３の起動を行った人物（つまり、撮影を許可した人物）であると看做して、ステップＳ３０６の処理に戻る。同一の顔でないと（ステップＳ３０９において、ＮＯ）、つまり、一致しないと、ＣＰＵ１０９は、撮影者がインカメラ１０３の起動を認識していない人物と看做して、ステップＳ３０７で得られる顔領域の検出頻度が高いか否かを判定する（ステップＳ３１０）。
【００４２】
ステップＳ３１０においては、例えば、ＣＰＵ１０９は、ステップＳ３０７で検出される顔領域の検出頻度が所定の回数以上であると、その検出頻度が高いと判定する。
【００４３】
検出頻度が高いと（ステップＳ３１０において、ＹＥＳ）、ＣＰＵ１０９は、撮影者がインカメラ１０３による撮影を許可した人物であると看做して、ステップＳ３０６の処理に戻る。一方、検出頻度が高くないと、つまり、検出頻度が所定の回数未満であると（ステップＳ３１０において、ＮＯ）、表示部１１３にインカメラ１０３が起動中であることを示す警告表示を行う（ステップＳ３１１）。
【００４４】
ステップＳ３１１において、ＣＰＵ１０９は、図４（ｂ）又は図４（ｃ）に示す画面を表示部１１３に表示する。いま、カメラがインカメラ１０３で得られる画像をスルー表示可能な状態であると（なお、ここでは、第２の撮像部表示モードが選択されていないので、第２の画像データに係る画像は表示されない）、ＣＰＵ１０９は図４（ｂ）に示す画面を表示部１１３に表示する。
【００４５】
図４（ｂ）においては、表示部１１３の右上に“インカメラ動作中”の文字およびインカメラ動作中であることを示すマーク４０３が表示される。そして、ここでは、前述のように、第２の撮像部表示モードが選択されていないので、画面には、アウトカメラ１０１による撮影の結果得られた被写体画像４０１が表示される。
【００４６】
一方、カメラにおいてインカメラ１０３で得られる画像（第２の画像データ）を記録する場合には、ＣＰＵ１０９は図４（ｃ）に示す画面（選択画面ともいう）を表示部１１３に表示する（つまり、選択画面表示を行う）。図４（ｃ）においては、表示部１１３の右上に“インカメラ記録中”の文字およびインカメラ記録中であることを示すマーク４０４が表示される。
【００４７】
さらに、当該画面上に、ＣＰＵ１０９は、”記録しますか？”の文言４０５を表示するとともに、”はい”ボタン４０６および”いいえ”ボタン４０７を表示する。つまり、ＣＰＵ１０９は表示部１１３に、外部記録媒体１１５に第２の画像データを記録して良いか否かの許可を求める確認画面を表示することになる。
【００４８】
当該確認画面において、撮影者が”はい”ボタン４０６を選択すると、ＣＰＵ１０９は第２の画像データを外部記録媒体１１５に記録する。一方、撮影者が”いいえ”ボタン４０７を選択すると、ＣＰＵ１０９は第２の画像データを外部記録媒体１１５に記録することなく破棄する。
【００４９】
なお、ここでは、前述のように、第２の撮像部表示モードが選択されていないので、画面には、アウトカメラ１０１による撮影の結果得られた被写体画像４０１が表示される。
【００５０】
続いて、ＣＰＵ１０９は第２の撮像部表示モードが選択されているか否かを判定する（ステップＳ３１２）。第２の撮像部表示モードが選択されていないと（ステップＳ３１２において、ＮＯ）、ＣＰＵ１０９はステップＳ３０６の処理に戻る。一方、第２の撮像部表示モードが選択されていると（ステップＳ３１２において、ＹＥＳ）、ＣＰＵ１０９は、撮影者がインカメラ１０３動作中であることを認識しているものとして、後述するステップＳ３１３の処理に進む。
【００５１】
ステップＳ３０５において、第２の撮像部表示モードが選択されていると（ステップＳ３０５において、ＹＥＳ）、ＣＰＵ１０９は、撮影者がインカメラ１０３動作中であることを認識しているものとし、第２の撮像部動作モードの終了操作を行ったか否かを判定する（ステップＳ３１３）。第２の撮像部動作モードの終了操作が行われると（ステップＳ３１３において、ＹＥＳ）、ＣＰＵ１０９は撮影者画像の表示を行うことなく、警告表示処理を終了する。
【００５２】
一方、第２の撮像部動作モードの終了操作が行われないと（ステップＳ３１３において、ＮＯ）、ＣＰＵ１０９は、図４（ｄ）に示す画面を表示部１１３に表示する。図４（ｄ）においては、表示部１１３には被写体画像４０１が表示されるとともに、画面の左下に撮影者画像４０２が表示される。
【００５３】
なお、表示部１１３に撮影者画像４０２が表示されている際には、ＣＰＵ１１０９は図４（ｂ）に示すインカメラ動作中を示すマーク４０３又はインカメラ記録中を示すマーク４０４を表示しないが、例えば、予めマーク表示を設定すれば、ＣＰＵ１０９はマーク４０３又は４０４を表示する。
【００５４】
続いて、ＣＰＵ１０９は、撮影者が操作部１１７によって撮影者画像の非表示を選択したか否かを判定する（ステップＳ３１４）。撮影者画像の非表示が選択されると（ステップＳ３１４において、ＹＥＳ）、ＣＰＵ１０９は表示部１１３に図４（ａ）に示す画面（つまり、被写体画像）を表示して、警告表示処理を終了する。
【００５５】
一方、撮影者画像の非表示が選択されないと（ステップＳ３１４において、ＮＯ）、ＣＰＵ１０９はステップＳ３１３の処理に戻る。
【００５６】
なお、撮影者などのユーザの操作によって撮影者画像４０２を非表示にする際には、セキュリティ上必須ではないため、図４（ｂ）又は図４（ｃ）に示すマーク４０３又は４０４は非表示とされる。但し、マーク４０３又は４０４を表示するようにしもよい。
【００５７】
このように、本発明の実施の形態では、インカメラで撮影した撮影者画像を表示部に表示しない場合に、撮影者の顔が予め登録されておらず（第１の条件）、かつインカメラ起動の際に得られた顔と一致せず（第２の条件）、さらには、インカメラの動作中における顔の検出頻度の低いと（第３の条件）、撮影者などのユーザなどの撮影者に対してインカメラによる撮影が行われていることを警告表示する。
【００５８】
これによって、ユーザの許可なくユーザの撮影が行われる事態を回避することができる結果、セキュリティおよびプライバシー保護を強化することができる。
【００５９】
また、本発明の実施の形態では、警告表示の際に、インカメラが動作中（又は記録中）であることを示す文字およびマークを表示するようにしたので、ユーザ（つまり、撮影者）はインカメラが動作していることを確実に知ることができる。
【００６０】
上述の説明から明らかなように、図１に示す例では、ＣＰＵ１０９が表示制御手段として機能し、画像処理回路１０５、顔検出回路１０７、およびＣＰＵ１０９が通知手段として機能する。さらに、顔検出回路１０７は検出手段として機能し、ＣＰＵ１０９および操作部１１７は表示選択手段として機能する。
【００６１】
以上、本発明について実施の形態に基づいて説明したが、本発明は、これらの実施の形態に限定されるものではなく、この発明の要旨を逸脱しない範囲の様々な形態も本発明に含まれる。
【００６２】
例えば、上記の実施の形態の機能を制御方法として、この制御方法を撮像装置に実行させるようにすればよい。また、上述の実施の形態の機能を有するプログラムを制御プログラムとして、当該制御プログラムを撮像装置が備えるコンピュータに実行させるようにしてもよい。なお、制御プログラムは、例えば、コンピュータに読み取り可能な記録媒体に記録される。
【００６３】
上記の制御方法および制御プログラムの各々は、少なくとも表示制御ステップおよび警告ステップを有している。
【００６４】
また、本発明は、以下の処理を実行することによっても実現される。つまり、上述した実施形態の機能を実現するソフトウェア（プログラム）を、ネットワーク又は各種の記録媒体を介してシステム或いは装置に供給し、そのシステム或いは装置のコンピュータ（またはＣＰＵやＭＰＵなど）がプログラムを読み出して実行する処理である。
【符号の説明】
【００６５】
１０１  第１の撮像部
１０３  第２の撮像部
１０５  画像処理回路
１０７  顔検出回路
１０９  制御回路（ＣＰＵ）
１１１  メモリ
１１３  表示部
１１５  外部記録媒体
１１７  操作部
【図１】
2015133624.tif 000003
【図２】
2015133624.tif 000004
【図３】
2015133624.tif 000005
【図４】
2015133624.tif 000006